(57)【要約】【課題】間接冷却方式の１ドア冷蔵庫にして、霜取り不要な冷凍冷蔵庫を実現する。【解決手段】冷却器１１の霜取りを自動とするため、ファン１２により冷気を庫内に循環させる間接冷却方式を採用した１ドア冷蔵庫であって、庫内を冷凍温度区画３とチルド温度区画５と冷蔵温度区画４との複数の区画に分割し、ファン１２による冷気を冷凍温度区画、チルド温度区画、冷蔵温度区画それぞれに流通させる冷気循環ダクト６，８，１６を備えている。さらに、冷凍区画３と冷蔵区画４とを一体の内箱２にて構成し、冷凍区画と冷蔵区画との分割部分にチルド区画を設け、かつ当該分割部分に冷蔵区画４を循環する冷気のリターンダクト６を設け、冷凍区画４には内扉９を設けた。【選択図】      図２
2005024118.tif 000002
【特許請求の範囲】
【請求項１】
ファンにより冷却器を通過してくる冷気を庫内に循環させる間接冷却方式を採用した１ドア冷蔵庫であって、
庫内を冷凍温度区画と冷蔵温度区画との複数の区画に分割し、
前記ファンによる冷気を前記冷凍温度区画、冷蔵温度区画それぞれに流通させる冷気循環ダクトを備えたことを特徴とする１ドア冷蔵庫。
【請求項２】
ファンにより冷却器を通過してくる冷気を庫内に循環させる間接冷却方式を採用した１ドア冷蔵庫であって、
庫内を冷凍温度区画とチルド温度区画と冷蔵温度区画との複数の区画に分割し、
前記ファンによる冷気を前記冷凍温度区画、チルド温度区画、冷蔵温度区画それぞれに流通させる冷気循環ダクトを備えたことを特徴とする１ドア冷蔵庫。
【請求項３】
前記冷凍区画と冷蔵区画との分割部分に前記チルド温度区画を設け、かつ当該分割部分に前記冷蔵区画を循環する冷気のリターンダクトを設け、前記冷凍区画には内扉を設けたことを特徴とする請求項２に記載の１ドア冷蔵庫。
【発明の詳細な説明】
【０００１】
【発明の属する技術分野】
本発明は、間接冷却方式で冷凍冷蔵機能を持つ１ドア冷蔵庫に関する。
【０００２】
【従来の技術】
従来、特開平８−２４７６１９号公報（特許文献１）に記載されているような１ドア冷蔵庫が知られている。この従来の１ドア冷蔵庫は、クーリングファンを備えない直冷式のものであり、庫内上部に冷凍区画を設け、その中に冷却器を設け、冷凍区画を冷凍温度に冷却し、同時に冷却器により冷やされた庫内空気を自然循環させることにより冷凍区画の下方の冷蔵区画も冷却するものである。
【０００３】
【特許文献１】
特開平８−２４７６１９号公報
【０００４】
【発明が解決しようとする課題】
ところが、従来の直冷式１ドア冷蔵庫では、ファンレスであるために冷凍区画冷却器の霜取り期間中は冷却ができず、霜取りの手動操作と霜取り期間中の冷凍食品の移動作業が必要になり、ユーザーに負担をかける問題点があった。
【０００５】
本発明はこのような従来の技術的課題に鑑みてなされたもので、間接冷却方式を採用した１ドア冷蔵庫にすることで霜取りを不要にした１ドア冷蔵庫を提供することを目的とする。
【０００６】
【課題を解決するための手段】
請求項１の発明は、ファンにより冷却器を通ってくる冷気を庫内に循環させる間接冷却方式を採用した１ドア冷蔵庫であって、庫内を冷凍温度区画と冷蔵温度区画との複数の区画に分割し、前記ファンによる冷気を前記冷凍温度区画、冷蔵温度区画それぞれに流通させる冷気循環ダクトを備えたものである。
【０００７】
請求項２の発明は、ファンにより冷却器を通ってくる冷気を庫内に循環させる間接冷却方式を採用した１ドア冷蔵庫であって、庫内を冷凍温度区画とチルド温度区画と冷蔵温度区画との複数の区画に分割し、前記ファンによる冷気を前記冷凍温度区画、チルド温度区画、冷蔵温度区画それぞれに流通させる冷気循環ダクトを備えたものである。
【０００８】
請求項３の発明は、請求項２の１ドア冷蔵庫において、前記冷凍区画と冷蔵区画との分割部分に前記チルド温度区画を設け、かつ当該分割部分に前記冷蔵区画を循環する冷気のリターンダクトを設け、前記冷凍区画には内扉を設けたものである。
【０００９】
【発明の実施の形態】
以下、本発明の実施の形態を図に基づいて詳説する。図１〜図４は本発明の１つの実施の形態の間接冷却方式１ドア冷蔵庫を示している。本実施の形態の１ドア冷蔵庫は、開閉ドア１は１つであり、筐体２の前面開口部に取り付けてある。筐体２は一体構造であり、その上部に冷凍区画３、下部に冷蔵区画４を設け、中間部にチルド区画５を設け、また中間部には冷蔵区画４とチルド区画５の循環冷気を戻すためのリターンダクト６も形成してある。
【００１０】
上部の冷凍区画３には内箱７を設け、内箱７の背面と冷蔵庫の上背部に当たる部分の筐体２の内面との間に機械室８を設けてある。内箱７の前面開口部には冷凍室内ドア９を取り付け、冷凍区画３を冷蔵区画４から分離している。
【００１１】
機械室８の空間には冷却器１１と庫内空気を強制循環させるファン１２を設置してある。冷却器１１は冷蔵庫の下背部に設置されているコンプレッサ１３と冷凍サイクルのための配管を接続し、冷媒を循環させるようにしてある。
【００１２】
チルド区画５の奥方の位置にチルド室、冷蔵室兼用冷気吹出口１５を設けてある。図４に詳しいように、この冷気吹出口１５と機械室８とは側方の冷気連通路１６にて接続してある。また冷気連通路１６にはダンパー１７を設けてあって、ダンパー１７の開口率を調整することで機械室８から冷蔵区画４とチルド区画５に循環する冷気の量を調整するようにしてある。
【００１３】
冷凍区画３における内箱７の背面には、氷室２１に冷気を吹き出すルーバー付き吹出口２２と冷凍区画３の全体に冷気を吹き出すルーバー付き吹出口２３、氷室２１の冷気を機械室８内の冷却器１１のホット側に戻す吐出口２４、冷凍区画３の循環冷気を同じく冷却器１１のホット側に戻す吐出口２５を設けてある。
【００１４】
次に、上記構成の１ドア冷蔵庫による冷却動作について説明する。コンプレッサ１３で圧縮した冷媒を図示していない配管を通じて機械室８内の冷却器１１に供給し、この冷却器１１で熱交換され高温になった冷媒を再びコンプレッサ１３に戻す冷凍サイクルの運転を行う。
【００１５】
機械室８内のファン１２は回転していて、庫内空気を強制循環させ、その際には循環気に冷却器１１の部分を通過させることによって熱交換によって冷やし、冷気にしてファン１２のもとに戻し、ここから冷気を庫内に再び送り出す。
【００１６】
（１）氷室２１の冷却：図２に示すように、氷室２１の背方のルーバー付き吹出口２２から冷気を室内に導入し、矢印３１の循環経路にて室内を冷やした後、吐出口２４から機械室８に戻し、ここで冷却器１１を通って再び冷やされてファン１２のところに戻る。
【００１７】
（２）冷凍区画３の冷却：図３に示すように、冷凍区画３の背方のルーバー付き吹出口２３から冷気を区画内に導入し、矢印３４の循環経路にて区画内を冷やした後、吐出口２５から機械室８に戻し、ここで冷却器１１を通って再び冷やされてファン１２のところに戻る。
【００１８】
（３）冷蔵区画４の冷却：図４に詳しいように、ファン１２から送り出される冷気の一部が機械室８内のダンパー１７を通った後、冷気連通路１６を通ってチルド室、冷蔵室兼用冷気吹出口１５に導入される。この冷気吹出口１５で冷気は二手に分かれ、一方は下方に吹き出して冷蔵区画４内に導入される。図２、図３に示すように、冷蔵区画４内に導入された冷気は、矢印３２の循環経路にて区画内を冷やした後、リターンダクト６の部分に戻り、このリターンダクト６を通じて背方の機械室８に排出される。機械室８内では、冷却器１１を通って再び冷やされた後、ファン１２のところに戻る。
【００１９】
（４）チルド室５の冷却：チルド室、冷蔵区画兼用冷気吹出口１５に送り出されてきた冷気の一部がこの吹出口１５から前方のチルド室５内に送り出される。そしてチルド室５内を矢印３３のように循環してリターンダクト６に到り、このリターンダクト６で冷蔵区画４からの冷気と合流し、背方の機械室８に戻る。機械室８内では、冷却器１１を通って再び冷やされた後、ファン１２のところに戻る。
【００２０】
なお、冷凍区画３、冷蔵区画４の温度調節には、冷凍区画３内からダンパー１７を回転操作することにより冷蔵区画４へ通じる冷気連通口１６の開口率を調節することによって行う。
【００２１】
これにより、本実施の形態の１ドア冷蔵庫では、ファン１２により冷気を庫内に循環させる間接冷却方式を採用したので、冷却器１１の霜取りが不要であって直冷方式の１ドア冷蔵庫のように霜取りのための操作や霜取りに備えた冷凍食品の移動作業が不要となり、ユーザーの便利さを向上できる。また本実施の形態の１ドア冷蔵庫では、２ドア冷蔵庫、３ドア冷蔵庫に比べて部品点数を削減でき、廉価に制作できる。
【００２２】
また、本実施の形態の１ドア冷蔵庫では、１ドア冷蔵庫であり、ファン１２、冷却器１１が１つであるにもかかわらず、冷凍区画と冷蔵区画の温度を個別に調節できる。
【００２３】
なお、本発明は上記の実施の形態に限定されず、間接冷却方式１ドア冷蔵庫であれば、冷凍区画３と冷蔵区画４の２区画だけのものであってもよい。その場合、リターンダクト６は図２、図３に示したものと同じ場所に設けるが、チルド室５は省略された構成となる。そしてこの場合の１ドア冷蔵庫では、構成の単純化がいっそう図れ、より廉価に制作できる。
【００２４】
【発明の効果】
以上のように本発明によれば、ファンにより冷気を庫内に循環させる間接冷却方式を採用したので、冷却器の霜取りが不要であって直冷方式の１ドア冷蔵庫のように霜取りのための操作や霜取りに備えた冷凍食品の移動作業が不要となり、ユーザーの便利さを向上でき、また、２ドア、３ドアの冷凍冷蔵庫に比べて部品点数を削減でき、廉価に制作できる。
【図面の簡単な説明】
【図１】本発明の１つの実施の形態の１ドア冷蔵庫のドアを取り除いた状態の正面図。
【図２】図１におけるＩＩ−ＩＩ線断面図（ただし、ドア付き）。
【図３】図１におけるＩＩＩ−ＩＩＩ線断面図（ただし、ドア付き）。
【図４】図１におけるＩＶ−ＩＶ線の一部破断せる断面図。
【符号の説明】
１  ドア
２  筐体
３  冷凍区画
４  冷蔵区画
５  チルド室
６  リターンダクト
７  内箱
８  機械室
１１  冷却器
１２  ファン
１３  コンプレッサ
１５  冷気吹出口
１６  冷気連通路
１７  ダンパー
２１  氷室
２２  吹出口
２３  吹出口
２４  吐出口
２５  吐出口
【図１】
2005024118.tif 000003
【図２】
2005024118.tif 000004
【図３】
2005024118.tif 000005
【図４】
2005024118.tif 000006